(57)【要約】【課題】機器間の物理的な接触と、通信の確立とを対応させることにより、通信の確立が容易にでき、操作性の良いデータ通信装置を提供すること。【解決手段】他の機器との通信を行うデータ通信装置であって、前記他の機器の接触による第一の物理量の変化を検出する物理量検出手段と、前記物理量検出手段が検出した第一の物理量の変化が所定の値を超える場合に、当該他の機器で検出された第二の物理量の変化情報を含む信号を受信する物理量受信手段と、前記物理量検出手段が検出した前記第一の物理量の変化と、前記物理量受信手段が受信した前記第二の物理量の変化とを比較して類似性の有無を判断する物理量比較手段と、前記物理量比較手段によって前記第一の物理量の変化と前記第二の物理量の変化とが類似性を有すると判断された場合に、前記他の機器との通信を確立する通信確立手段とを有するデータ通信装置。【選択図】図２３
2007228554.tif 000002
【特許請求の範囲】
【請求項１】
他の機器との通信を行うデータ通信装置であって、
前記他の機器の接触による第一の物理量の変化を検出する物理量検出手段と、
前記物理量検出手段が検出した第一の物理量の変化が所定の値を超える場合に、当該他の機器で検出された第二の物理量の変化情報を含む信号を受信する物理量受信手段と、
前記物理量検出手段が検出した前記第一の物理量の変化と、前記物理量受信手段が受信した前記第二の物理量の変化とを比較して類似性の有無を判断する物理量比較手段と、
前記物理量比較手段によって前記第一の物理量の変化と前記第二の物理量の変化とが類似性を有すると判断された場合に、前記他の機器との通信を確立する通信確立手段と
を有することを特徴とするデータ通信装置。
【請求項２】
前記物理量検出手段は、他の機器との接触により生じる振動の角速度又は前記振動の加速度を検出することを特徴とする請求項１記載のデータ通信装置。
【請求項３】
前記物理量検出手段は、他の機器との接触部における変形量、圧力、又は、温度を検出することを特徴とする請求項１記載のデータ通信装置。
【請求項４】
前記物理量検出手段は、他の機器との接触により生じる音圧を検出することを特徴とする請求項１記載のデータ通信装置。
【請求項５】
前記物理量検出手段は、
前記データ通信装置の表面の所定の領域の光量を検出する光量検出手段を有し、
前記光量検出手段は、他の機器が接触したことによる光量の変化を検出すること
を特徴とする請求項１記載のデータ通信装置。
【請求項６】
前記物理量比較手段は、前記第一の物理量の変化と前記第二の物理量の変化とを比較する際に、時間方向の補正を行うことを特徴とする請求項１記載のデータ通信装置。
【請求項７】
前記通信確立手段は、通信を確立する際に、前記他の機器毎に識別番号を付与し、
該識別番号に応じてアクセス制限を行うアクセス制限手段を有することを特徴とする請求項１記載のデータ通信装置。
【請求項８】
前記物理量比較手段は、
所定の時間内で、前記物理量検出手段が検出した前記第一の物理量が所定の値を超える第一の回数と、前記物理量受信手段が受信した前記第二の物理量所定の値を超える第二の回数とを比較することに基づき、類似性の有無を判断することを特徴とする請求項１記載のデータ通信装置。
【請求項９】
他の機器との通信を行うデータ通信装置であって、
他の機器の接触による物理量の変化を検出する物理量検出手段と、
前記物理量検出手段が検出した物理量の変化が所定の値を超える場合に、当該物理量の変化情報を含む信号を送信する送信手段と、
他の機器から前記物理量の変化に基づく通信の確立を要求された場合に、通信の確立に応じる通信確立手段と
を有することを特徴とするデータ通信装置。
【請求項１０】
前記データ通信装置の外面に、文字、色、又は、図柄により示されている場所を有することを特徴とする請求項１、又は、９記載のデータ通信装置。
【請求項１１】
他の機器との通信を行うデータ通信装置であって、
前記他の機器との接触を検出する接触検出手段と、
前記データ通信装置の所定の物理量を変化させる物理量変化手段とを有し、
前記接触検出手段によって前記他の機器との接触が検出された場合に、
前記物理量変化手段は所定のパターンによって物理量を変化させ、
前記物理量の変化を検出した他の機器から前記物理量の変化に基づく通信の確立が要求された場合に、前記他の機器との通信を確立する通信確立手段と
を有することを特徴とするデータ通信装置。
【請求項１２】
他の機器との通信を行うデータ通信装置であって、
前記他の機器との接触を検出する接触検出手段と、
前記接触検出手段によって前記他の機器との接触が検出された場合に、前記他の機器が発生させた前記他の機器における物理量の変化を検出する検出手段と、
前記物理量の変化が、所定のパターンを有するか否かを判断する物理量判断手段と、
前記物理量判断手段によって前記物理量の変化が所定のパターンを有すると判断された場合に、前記他の機器との通信を確立する通信確立手段と
を有することを特徴とするデータ通信装置。
【請求項１３】
前記物理量の変化のパターンは、前記物理量の変化を発生させる機器の識別情報を含むことを特徴とする請求項１１又は１２記載のデータ通信装置。
【請求項１４】
前記データ通信装置の外面に、文字、色、又は、図柄により示されている場所を有することを特徴とする請求項１１、又は、１２記載のデータ通信装置。
【請求項１５】
前記通信確立手段が通信を確立した場合に、
前記他の機器から指示されたジョブを実行するジョブ実行手段を有することを特徴とする請求項１、９、１１、又は、１２記載のデータ通信装置。
【請求項１６】
前記通信確立手段が通信を確立した場合に、
前記他の機器に対し、ジョブの実行に伴うデータの送受信を開始するジョブデータ送受信手段を有することを特徴とする請求項１、９、１１、又は、１２記載のデータ通信装置。
【請求項１７】
前記通信確立手段は、
前記他の機器の認証を行う認証手段を有し、
前記認証手段によって前記他の機器が認証された場合に、前記他の機器との通信を確立することを特徴とする請求項１、９、１１、又は、１２記載のデータ通信装置。
【請求項１８】
アクセス権を管理する管理サーバとの通信手段を有し、
前記通信確立手段は、
前記管理サーバから受信したアクセス権に係る情報に基づき、通信を確立することを特徴とする請求項１、９、１１、又は、１２記載のデータ通信装置。
【請求項１９】
他の機器が有する所定の画像情報を撮像する撮像手段を有し、
前記通信確立手段は、前記撮像手段によって撮像された画像情報に基づき通信を確立することを特徴とする請求項１、９、１１、又は、１２記載のデータ通信装置。
【請求項２０】
それぞれに通信手段を有する第一のデータ通信装置と第二のデータ通信装置とが通信を行うデータ通信システムにおいて、
前記第一のデータ通信装置は、
前記第二のデータ通信装置との接触による第一の物理量の変化を検出する検出手段と、
前記検出手段が検出した第一の物理量の変化が所定の値を超える場合に、前記第二のデータ通信装置が検出した第二の物理量の変化情報を含む信号を受信する物理量受信手段と、
前記検出手段が検出した前記第一の物理量の変化と、前記物理量受信手段が受信した前記第二の物理量の変化とを比較して類似性の有無を判断する物理量比較手段と、
前記物理量比較手段によって前記第一の物理量の変化と前記第二の物理量の変化とが類似性を有すると判断された場合に、前記第二のデータ通信装置との通信を確立する通信確立手段とを有し、
前記第二のデータ通信装置は、
前記第一のデータ通信装置との接触による第二の物理量の変化を検出する検出手段と、
前記検出手段が検出した第二の物理量の変化が所定の値を超える場合に、前記第二の物理量の変化情報を含む信号を送信する送信手段と、
前記第一のデータ通信装置から前記第二の物理量の変化に基づく通信の確立を要求された場合に、通信の確立に応じる通信確立手段と
を有することを特徴とするデータ通信システム。
【請求項２１】
それぞれに通信手段を有する第一のデータ通信装置と第二のデータ通信装置とが通信を行うデータ通信システムにおいて、
前記第一のデータ通信装置は、
前記第二のデータ通信装置との接触を検出する接触検出手段と、
前記データ通信装置の所定の物理量を変化させる物理量変化手段とを有し、
前記接触検出手段によって前記第二のデータ通信装置との接触が検出された場合に、
前記物理量変化手段は所定のパターンによって物理量を変化させ、
前記物理量の変化を検出した他の機器から前記物理量の変化に基づく通信の確立が要求された場合に、前記他の機器との通信を確立する通信確立手段と
を有し、
前記第二のデータ通信装置は、
前記第一のデータ通信装置との接触を検出する接触検出手段と、
前記接触検出手段によって前記他の機器との接触が検出された場合に、前記第一のデータ通信装置が発生させた前記他の機器における物理量の変化を検出する検出手段と、
前記物理量の変化が、所定のパターンを有するか否かを判断する物理量判断手段と、
前記物理量判断手段によって前記物理量の変化が所定のパターンを有すると判断された場合に、前記第一のデータ通信装置との通信を確立する通信確立手段と
を有することを特徴とするデータ通信システム。
【請求項２２】
他の機器との通信を行うデータ通信装置におけるデータ通信方法であって、
前記他の機器の接触による第一の物理量を検出する物理量検出ステップと、
前記物理量検出ステップにおいて検出された第一の物理量の変化が所定の値を超える場合に、当該他の機器で検出された第二の物理量の変化情報を含む信号を受信する物理量受信ステップと、
前記物理量検出ステップにおいて検出された前記第一の物理量の変化と、前記物理量受信ステップにおいて受信された前記第二の物理量の変化とを比較して類似性の有無を判断する物理量比較ステップと、
前記物理量比較ステップによって前記第一の物理量の変化と前記第二の物理量の変化とが類似性を有すると判断された場合に、前記他の機器との通信を確立する通信確立ステップと
を有することを特徴とするデータ通信方法。
【請求項２３】
前記物理量比較ステップは、
所定の時間内で、前記物理量検出手段が検出した前記第一の物理量が所定の値を超える第一の回数と、前記物理量受信手段が受信した前記第二の物理量所定の値を超える第二の回数とを比較することに基づき、類似性の有無を判断することを特徴とする請求項２２記載のデータ通信方法。
【請求項２４】
他の機器との通信を行うデータ通信装置におけるデータ通信方法であって、
他の機器の接触による物理量の変化を検出する物理量検出ステップと、
前記物理量検出ステップにおいて検出された物理量の変化が所定の値を超える場合に、当該物理量の変化情報を含む信号を送信する送信ステップと、
他の機器から前記物理量の変化に基づく通信の確立を要求された場合に、通信の確立に応じる通信確立ステップと
を有することを特徴とするデータ通信方法。
【請求項２５】
他の機器との通信を行うデータ通信装置におけるデータ通信方法であって、
前記他の機器との接触を検出する接触検出ステップと、
前記接触検出ステップによって前記他の機器との接触が検出された場合に、前記データ通信装置の所定の物理量を変化させる物理量変化ステップと
を有し、
前記物理量の変化を検出した他の機器から前記物理量の変化に基づく通信の確立が要求された場合に、前記他の機器との通信を確立する通信確立ステップと
を有することを特徴とするデータ通信方法。
【請求項２６】
他の機器との通信を行うデータ通信装置におけるデータ通信方法であって、
前記他の機器との接触を検出する接触検出ステップと、
前記接触検出手段によって前記他の機器との接触が検出された場合に、前記他の機器が発生させた前記他の機器における物理量の変化を検出する物理量検出ステップと、
前記物理量の変化が、所定のパターンを有するか否かを判断する物理量判断ステップと、
前記物理量判断ステップにおいて前記物理量の変化が所定のパターンを有すると判断された場合に、前記他の機器との通信を確立する通信確立ステップと
を有することを特徴とするデータ通信方法。
【発明の詳細な説明】
【技術分野】
【０００１】
本発明は、データ通信装置、データ通信システム及び、データ通信方法に関する。
【背景技術】
【０００２】
従来から、機器間の通信を確立する際に、互いの識別番号やアクセス条件を操作者によって設定するデータ通信装置及びデータ通信方法がある。例えば、ＩＥＥＥ８０２．１１に定められている無線ＬＡＮにおいては、操作者が、各機器のＥＳＳ−ＩＤ（Ｅｘｔｅｎｄｅｄ  Ｓｅｒｖｉｃｅ  Ｓｅｔ  Ｉｄｅｎｔｉｆｉｅｒ）を設定することにより、ＥＳＳ−ＩＤが一致する機器間で通信が確立され、互いにデータ等の送受信が可能になる。従って、既存のネットワークに新たに機器を接続する場合には、既にネットワークに接続されている機器のＥＳＳ−ＩＤ等の識別番号やアクセス条件を、予め操作者が調べる必要があった。
【０００３】
ところで、ＩＥＥＥ８０２．１１において、ＥＳＳ−ＩＤを「ＡＮＹ」と設定することにより、既にネットワークに接続されている機器のＥＳＳ−ＩＤを取得する方法が定められている。そこで、ＥＳＳ−ＩＤが異なる複数の機器が存在する場合には、新たに接続しようとする機器の表示デバイス上に、接続可能な機器のリストを表示し、操作者が、リストから一の機器を選択することにより、接続を確立する装置がある。
【０００４】
この装置が表示するリストには、各機器のＥＳＳ−ＩＤ、又は、ネットワーク上の名称等が表示される。そこで、予め、機器の実体とネットワーク上の名称等との対応を管理しておき、接続する際には、リスト上に表示される名称等と機器の実体とを照合した上で、接続しようとする機器を指定しなくてはならず、手順が煩雑になっていた。
【０００５】
さらに、接続しようとする機器のＥＳＳ−ＩＤを「ＡＮＹ」とすることにより、接続可能な機器のＥＳＳ−ＩＤを取得できるため、第三者によるアクセスが容易になり、アクセス制限によるセキュリティの確保が困難になるという不具合があった。
【０００６】
そこで、特開２００５−１５９８２１号公報（特許文献１）には、通信相手の候補となる複数の通信装置の各々から、当該通信装置の空間内の動きを示す動き情報を取得し表示し、利用者が、表示された動き画像の何れかを選択することにより、選択された動き画像が示す通信装置と通信する通信装置が開示されている。
【０００７】
また、下記に記す非特許文献１には、多軸の加速度センサを設けたタブレットＰＣの技術が開示されている。タブレットＰＣとは、ワイヤレスの通信手段とペン入力手段を有する小型で携帯が容易なパーソナルコンピュータである。下記非特許文献１には、複数のタブレットＰＣ間の接触の有無、及び、接触の方向を、各タブレットＰＣに設けられた加速度センサによって検出することに基づき、各タブレットＰＣの画面上に表示されるコンテンツの表示形態を変化させている。
【特許文献１】特開２００５−１５９８２１号公報
【非特許文献１】Ｋｅｎ  Ｈｉｎｃｋｌｅｙ（Ｍｉｃｒｏｓｏｆｔ  Ｒｅｓｅａｒｃｈ）、"Ｓｙｎｃｈｒｏｎｏｕｓ  Ｇｅｓｔｕｒｅｓ  ｆｏｒ  Ｍｕｌｔｉｐｌｅ  Ｐｅｒｓｏｎｓ  ａｎｄ  Ｃｏｍｐｕｔｅｒｓ"、Ｎｏｖｅｍｂｅｒ  ４，２００３、ＵＩＳＴ２００３（Ａｎｎｕａｌ  ＡＣＭ（Ａｓｓｏｃｉａｔｉｏｎ  ｆｏｒ  Ｃｏｍｐｕｔｉｎｇ  Ｍａｃｈｉｎｅｒｙ）  Ｓｙｍｐｏｓｉｕｍ  ｏｎ  Ｕｓｅｒ  Ｉｎｔｅｒｆａｃｅ  Ｓｏｆｔｗａｒｅ  ａｎｄ  Ｔｅｃｈｎｏｌｏｇｙ  ２００３）
【発明の開示】
【発明が解決しようとする課題】
【０００８】
しかしながら、上記特許文献１に開示されている通信装置では、通信相手の候補となる複数の通信装置の動き情報から、通信しようとする通信装置を選択するため、操作者は、実空間内での通信装置の動きと、表示画面内に表示された動き情報とを目視によって比較しなくてはならなかった。
【０００９】
また、上記非特許文献１に開示されているタブレットＰＣでは、既に通信が確立されているタブレットＰＣ間でのアプリケーション等の制御に加速度センサを用いているが、通信を確立する、又は、アクセスを制限する等の通信の制御については、考慮されていない。
【００１０】
本発明は、上記の点に鑑みて、これらの問題を解消するために発明されたものであり、機器間の物理的な接触と、通信の確立とを対応させることにより、通信の確立が容易にでき、操作性の良いデータ通信装置を提供することを目的としている。
【課題を解決するための手段】
【００１１】
上記目的を達成するために、本発明のデータ通信装置は次の如き構成を採用した。
【００１２】
本発明のデータ通信装置は、他の機器との通信を行うデータ通信装置であって、前記他の機器の接触による第一の物理量の変化を検出する物理量検出手段と、前記物理量検出手段が検出した第一の物理量の変化が所定の値を超える場合に、当該他の機器で検出された第二の物理量の変化情報を含む信号を受信する物理量受信手段と、前記物理量検出手段が検出した前記第一の物理量の変化と、前記物理量受信手段が受信した前記第二の物理量の変化とを比較して類似性の有無を判断する物理量比較手段と、前記物理量比較手段によって前記第一の物理量の変化と前記第二の物理量の変化とが類似性を有すると判断された場合に、前記他の機器との通信を確立する通信確立手段とを有する構成とすることができる。
【００１３】
これにより、機器間の物理的な接触と、通信の確立とを対応させることにより、通信の確立が容易にでき、操作性の良いデータ通信装置を提供することができる。
【００１４】
また、上記目的を達成するために、本発明のデータ通信装置は、さらに、前記物理量検出手段は、他の機器との接触により生じる振動の角速度又は前記振動の加速度を検出するように構成することができる。
【００１５】
これにより、他の機器との接触により生じる振動の各速度又は振動の加速度を検出する物理量検出手段を有するデータ通信装置を提供することができる。
【００１６】
また、上記目的を達成するために、本発明のデータ通信装置は、さらに、前記物理量検出手段は、他の機器との接触部における変形量、圧力、又は、温度を検出するように構成することができる。
【００１７】
これにより、他の機器との接触部における変形量、圧力、又は、温度を検出する物理量検出手段を有するデータ通信装置を提供することができる。
【００１８】
また、上記目的を達成するために、本発明のデータ通信装置は、さらに、前記物理量検出手段は、他の機器との接触により生じる音圧を検出するように構成することができる。
【００１９】
これにより、他の機器との接触により生じる音圧を検出する物理量検出手段を有するデータ通信装置を提供することができる。
【００２０】
また、上記目的を達成するために、本発明のデータ通信装置は、さらに、前記物理量検出手段は、前記データ通信装置の表面の所定の領域の光量を検出する光量検出手段を有し、前記光量検出手段は、他の機器が接触したことによる光量の変化を検出するように構成することができる。
【００２１】
これにより、他の機器が接触したことによる光量の変化を検出する光量検出手段を有するデータ通信装置を提供することができる。
【００２２】
また、上記目的を達成するために、本発明のデータ通信装置は、さらに、前記物理量比較手段は、前記第一の物理量の変化と前記第二の物理量の変化とを比較する際に、時間方向の補正を行うように構成することができる。
【００２３】
これにより、第一の物理量の変化と第二の物理量の変化とを比較する際に、時間方向の補正を行う物理量比較手段を有するデータ通信装置を提供することができる。
【００２４】
また、上記目的を達成するために、本発明のデータ通信装置は、さらに、前記通信確立手段は、通信を確立する際に、前記他の機器毎に識別番号を付与し、該識別番号に応じてアクセス制限を行うアクセス制限手段を有する構成とすることができる。
【００２５】
これにより、他の機器毎に付与した識別番号に応じて、アクセス制限を行うアクセス制限手段を有するデータ通信装置を提供することができる。
【００２６】
また、上記目的を達成するために、本発明のデータ通信装置は、さらに、前記物理量比較手段は、所定の時間内で、前記物理量検出手段が検出した前記第一の物理量が所定の値を超える第一の回数と、前記物理量受信手段が受信した前記第二の物理量所定の値を超える第二の回数とを比較することに基づき、類似性の有無を判断するように構成することができる。
【００２７】
これにより、物理量の変化を比較する際に、所定の時間内で第一の物理量と第二の物理量とが所定の値を超えた回数を比較して、類似性の有無を判断する物理量比較手段を有するデータ通信装置を提供することができる。
【００２８】
また、上記目的を達成するために、本発明のデータ通信装置は、さらに、他の機器との通信を行うデータ通信装置であって、他の機器の接触による物理量の変化を検出する物理量検出手段と、前記物理量検出手段が検出した物理量の変化が所定の値を超える場合に、当該物理量の変化情報を含む信号を送信する送信手段と、他の機器から前記物理量の変化に基づく通信の確立を要求された場合に、通信の確立に応じる通信確立手段とを有する構成とすることができる。
【００２９】
これにより、機器間の物理的な接触と、通信の確立とを対応させることにより、通信の確立が容易にでき、操作性の良いデータ通信装置を提供することができる。
【００３０】
また、上記目的を達成するために、本発明のデータ通信装置は、さらに、前記データ通信装置の外面に、文字、色、又は、図柄により示されている場所を有するように構成することができる。
【００３１】
これにより、他の機器との接触により、物理量の変化が発生する場所が、文字、色、又は、図柄により示されたデータ通信装置を提供することができる。
【００３２】
また、上記目的を達成するために、本発明のデータ通信装置は、さらに、他の機器との通信を行うデータ通信装置であって、前記他の機器との接触を検出する接触検出手段と、前記データ通信装置の所定の物理量を変化させる物理量変化手段とを有し、前記接触検出手段によって前記他の機器との接触が検出された場合に、前記物理量変化手段は所定のパターンによって物理量を変化させ、前記物理量の変化を検出した他の機器から前記物理量の変化に基づく通信の確立が要求された場合に、前記他の機器との通信を確立する通信確立手段とを有する構成とすることができる。
【００３３】
これにより、他の機器との接触を検出することに基づき、所定の物理量を変化させることにより、機器間の物理的な接触と、通信の確立とを対応させることができ、通信の確立が容易、かつ、操作性の良いデータ通信装置を提供することができる。
【００３４】
また、上記目的を達成するために、本発明のデータ通信装置は、さらに、他の機器との通信を行うデータ通信装置であって、前記他の機器との接触を検出する接触検出手段と、前記接触検出手段によって前記他の機器との接触が検出された場合に、前記他の機器が発生させた前記他の機器における物理量の変化を検出する検出手段と、前記物理量の変化が、所定のパターンを有するか否かを判断する物理量判断手段と、前記物理量判断手段によって前記物理量の変化が所定のパターンを有すると判断された場合に、前記他の機器との通信を確立する通信確立手段とを有する構成とすることができる。
【００３５】
これにより、他の機器との接触を検出することに基づいて受信した他の機器が変化させた物理量の変化のパターンに基づき、他の機器との通信を確立することにより、機器間の物理的な接触と、通信の確立とを対応させることができ、通信の確立が容易、かつ、操作性の良いデータ通信装置を提供することができる。
【００３６】
また、上記目的を達成するために、本発明のデータ通信装置は、さらに、前記物理量の変化のパターンは、前記物理量の変化を発生させる機器の識別情報を含むように構成することができる。
【００３７】
これにより、他の機器の識別情報が、物理量の変化のパターンに変調により重畳されているデータ通信装置を提供することができる。
【００３８】
また、上記目的を達成するために、本発明のデータ通信装置は、さらに、前記データ通信装置の外面に、文字、色、又は、図柄により示されている場所を有するように構成することができる。
【００３９】
これにより、他の機器との接触を接触検出手段が検出する場所が、文字、色、又は、図柄により示されたデータ通信装置を提供することができる。
【００４０】
また、上記目的を達成するために、本発明のデータ通信装置は、さらに、前記通信確立手段が通信を確立した場合に、前記他の機器から指示されたジョブを実行するジョブ実行手段を有する構成とすることができる。
【００４１】
これにより、他の機器から指示されたジョブを、通信が確立された場合に実行するデータ通信装置を提供することができる。
【００４２】
また、上記目的を達成するために、本発明のデータ通信装置は、さらに、前記通信確立手段が通信を確立した場合に、前記他の機器に対し、ジョブの実行に伴うデータの送受信を開始するジョブデータ送受信手段を有するように構成することができる。
【００４３】
これにより、他の機器に対するジョブの実行に伴うデータの送受信を、通信が確立された場合に開始するデータ通信装置を提供することができる。
【００４４】
また、上記目的を達成するために、本発明のデータ通信装置は、さらに、前記通信確立手段は、前記他の機器の認証を行う認証手段を有し、前記認証手段によって前記他の機器が認証された場合に、前記他の機器との通信を確立するように構成することができる。
【００４５】
これにより、認証手段によって認証された他の機器との通信を確立するデータ通信装置を提供することができる。
【００４６】
また、上記目的を達成するために、本発明のデータ通信装置は、さらに、アクセス権を管理する管理サーバとの通信手段を有し、前記通信確立手段は、前記管理サーバから受信したアクセス権に係る情報に基づき、通信を確立するように構成することができる。
【００４７】
これにより、通信の確立を、アクセス権を管理する管理サーバから受信したアクセス権に係る情報に基づき、行うデータ通信装置を提供することができる。
【００４８】
また、上記目的を達成するために、本発明のデータ通信装置は、さらに、他の機器が有する所定の画像情報を撮像する撮像手段を有し、前記通信確立手段は、前記撮像手段によって撮像された画像情報に基づき通信を確立するように構成することができる。
【００４９】
これにより、通信の確立を、撮像手段が撮像した所定の画像情報に基づき、行うデータ通信装置を提供することができる。
【００５０】
また、上記目的を達成するために、本発明のデータ通信システムは、それぞれに通信手段を有する第一のデータ通信装置と第二のデータ通信装置とが通信を行うデータ通信システムにおいて、前記第一のデータ通信装置は、前記第二のデータ通信装置との接触による第一の物理量の変化を検出する検出手段と、前記検出手段が検出した第一の物理量の変化が所定の値を超える場合に、前記第二のデータ通信装置が検出した第二の物理量の変化情報を含む信号を受信する物理量受信手段と、前記検出手段が検出した前記第一の物理量の変化と、前記物理量受信手段が受信した前記第二の物理量の変化とを比較して類似性の有無を判断する物理量比較手段と、前記物理量比較手段によって前記第一の物理量の変化と前記第二の物理量の変化とが類似性を有すると判断された場合に、前記第二のデータ通信装置との通信を確立する通信確立手段とを有し、前記第二のデータ通信装置は、前記第一のデータ通信装置との接触による第二の物理量の変化を検出する検出手段と、前記検出手段が検出した第二の物理量の変化が所定の値を超える場合に、前記第二の物理量の変化情報を含む信号を送信する送信手段と、前記第一のデータ通信装置から前記第二の物理量の変化に基づく通信の確立を要求された場合に、通信の確立に応じる通信確立手段とを有する構成とすることができる。
【００５１】
また、上記目的を達成するために、本発明のデータ通信システムは、それぞれに通信手段を有する第一のデータ通信装置と第二のデータ通信装置とが通信を行うデータ通信システムにおいて、前記第一のデータ通信装置は、前記第二のデータ通信装置との接触を検出する接触検出手段と、前記データ通信装置の所定の物理量を変化させる物理量変化手段とを有し、前記接触検出手段によって前記第二のデータ通信装置との接触が検出された場合に、前記物理量変化手段は所定のパターンによって物理量を変化させ、前記物理量の変化を検出した他の機器から前記物理量の変化に基づく通信の確立が要求された場合に、前記他の機器との通信を確立する通信確立手段とを有し、前記第二のデータ通信装置は、前記第一のデータ通信装置との接触を検出する接触検出手段と、前記接触検出手段によって前記他の機器との接触が検出された場合に、前記第一のデータ通信装置が発生させた前記他の機器における物理量の変化を検出する検出手段と、前記物理量の変化が、所定のパターンを有するか否かを判断する物理量判断手段と、前記物理量判断手段によって前記物理量の変化が所定のパターンを有すると判断された場合に、前記第一のデータ通信装置との通信を確立する通信確立手段とを有する構成とすることができる。
【００５２】
また、上記目的を達成するために、本発明のデータ通信方法は、他の機器との通信を行うデータ通信装置におけるデータ通信方法であって、前記他の機器の接触による第一の物理量を検出する物理量検出ステップと、前記物理量検出ステップにおいて検出された第一の物理量の変化が所定の値を超える場合に、当該他の機器で検出された第二の物理量の変化情報を含む信号を受信する物理量受信ステップと、前記物理量検出ステップにおいて検出された前記第一の物理量の変化と、前記物理量受信ステップにおいて受信された前記第二の物理量の変化とを比較して類似性の有無を判断する物理量比較ステップと、前記物理量比較ステップによって前記第一の物理量の変化と前記第二の物理量の変化とが類似性を有すると判断された場合に、前記他の機器との通信を確立する通信確立ステップとを有する構成とすることができる。
【００５３】
また、上記目的を達成するために、本発明のデータ通信方法は、前記物理量比較ステップは、所定の時間内で、前記物理量検出手段が検出した前記第一の物理量が所定の値を超える第一の回数と、前記物理量受信手段が受信した前記第二の物理量所定の値を超える第二の回数とを比較することに基づき、類似性の有無を判断するように構成することができる。
【００５４】
また、上記目的を達成するために、本発明のデータ通信方法は、他の機器との通信を行うデータ通信装置におけるデータ通信方法であって、他の機器の接触による物理量の変化を検出する物理量検出ステップと、前記物理量検出ステップにおいて検出された物理量の変化が所定の値を超える場合に、当該物理量の変化情報を含む信号を送信する送信ステップと、他の機器から前記物理量の変化に基づく通信の確立を要求された場合に、通信の確立に応じる通信確立ステップとを有する構成とすることができる。
【００５５】
また、上記目的を達成するために、本発明のデータ通信方法は、他の機器との通信を行うデータ通信装置におけるデータ通信方法であって、前記他の機器との接触を検出する接触検出ステップと、前記接触検出ステップによって前記他の機器との接触が検出された場合に、前記データ通信装置の所定の物理量を変化させる物理量変化ステップとを有し、前記物理量の変化を検出した他の機器から前記物理量の変化に基づく通信の確立が要求された場合に、前記他の機器との通信を確立する通信確立ステップとを有する構成とすることができる。
【００５６】
また、上記目的を達成するために、本発明のデータ通信方法は、他の機器との通信を行うデータ通信装置におけるデータ通信方法であって、前記他の機器との接触を検出する接触検出ステップと、前記接触検出手段によって前記他の機器との接触が検出された場合に、前記他の機器が発生させた前記他の機器における物理量の変化を検出する物理量検出ステップと、前記物理量の変化が、所定のパターンを有するか否かを判断する物理量判断ステップと、前記物理量判断ステップにおいて前記物理量の変化が所定のパターンを有すると判断された場合に、前記他の機器との通信を確立する通信確立ステップとを有する構成とすることができる。
【発明の効果】
【００５７】
本発明のデータ通信装置によれば、機器間の物理的な接触と、通信の確立とを対応させることにより、通信の確立が容易にでき、操作性の良いデータ通信装置を提供することが可能になる。
【発明を実施するための最良の形態】
【００５８】
以下、本発明の実施例を図面に基づき説明する。
［第一の実施の形態］
図１は、本発明の一実施の形態に係るデータ通信装置が接続されたネットワークの構成図である。図１では、本発明の一実施の形態に係るデータ通信装置である、機器１００から４００、及び、携帯端末５００が、ネットワーク６００を介して接続されている。機器１００から４００は、例えば、プリンタ、ファクシミリ、スキャナ、及び、サーバの機能のうち一以上の機能を有し、無線通信のインタフェースとして、Ｂｌｕｅｔｏｏｔｈ（登録商標）、又は、ＩＥＥＥ８０２．１１等のインタフェースを有する。
【００５９】
機器１００から４００は、また、それぞれ無線通信によってネットワーク６００によって接続されてもよいし、ＩＥＥＥ８０２．３等の有線通信によってネットワーク６００に接続されてもよい。さらに、ネットワーク６００には、図示しない無線通信のアクセスポイントが接続されており、機器１００から４００は、ネットワーク６００、及び、ネットワーク６００に接続された無線通信のアクセスポイントを介して、他の機器等と接続されてもよい。
【００６０】
なお、機器１００から４００は、同一の構成を有しているので、本明細書においては、機器１００について説明を行う。
【００６１】
携帯端末５００は、無線通信のインタフェースを有し、機器１００と直接、又は、ネットワークを介して接続し、通信を行う。携帯端末５００は、例えば、携帯電話、スケジューラ、スキャナ、メールの送受信、又は、デジタルカメラ等の機能を有する機器であり、携帯端末５００が有する無線通信のインタフェースは、例えば、Ｂｌｕｅｔｏｏｔｈ（登録商標）、又は、ＩＥＥＥ８０２．１１等である。
【００６２】
図２は、機器１００及び携帯端末５００の機能構成例である。図２（Ａ）において、機器１００は、振動等に起因する物理量の検出に基づき、接触した携帯端末等と通信を確立するデータ通信装置であって、検出手段１１０、メモリ１２０、物理量比較手段１４０、及び、通信手段１５０を有する。
【００６３】
検出手段１１０は、振動等に起因する物理量を検出するセンサ等の検出手段であり、メモリ１２０は、検出された物理量を格納する記憶媒体である。物理量比較手段１４０は、検出手段１１０によって検出された第一の物理量と、通信手段１５０によって受信した第二の物理量との比較を行い、両者の類似性の有無を判断する手段である。
【００６４】
通信手段１５０は、機器１００と他の機器との通信を、直接、又は、ネットワークを介して行う手段であって、物理量比較手段１４０が、第一の物理量と第二の物理量又は第一の物理量の変化と第二の物理量の変化とが類似性を有すると判断した場合に、通信を確立する。
【００６５】
なお、「通信を確立する」とは、ジョブの指示の送受信、又は、ジョブを行うためのデータの送受信等を行う通信の状態にすることである。通信を確立する前の「プレ通信」の段階では、限られた信号の送受信が可能となっている。
【００６６】
図２（Ｂ）における携帯端末５００は、機器１００と同様に、振動等に起因する物理量の検出に基づき、接触した機器等と通信を確立するデータ通信装置であって、検出手段５１０、メモリ５２０、物理量比較手段５４０、及び、通信手段５５０を有する。
【００６７】
検出手段５１０は、振動等に起因する物理量を検出するセンサ等の検出手段であり、メモリ５２０は、検出された物理量を格納する記憶媒体である。物理量比較手段５４０は、検出手段５１０によって検出された第二の物理量と、通信手段５５０によって受信した第一の物理量との比較を行い、両者の類似性の有無を判断する手段である。
【００６８】
通信手段５５０は、携帯端末５００と他の機器との通信を、直接、又は、ネットワークを介して行う手段であって、物理量比較手段５４０が、第一の物理量と第二の物理量又は第一の物理量の変化と第二の物理量の変化とが類似性を有すると判断した場合に、通信を確立する。
【００６９】
図２では、機器１００及び携帯端末５００は、同一の構成となっているが、本発明のデータ通信装置は、これに限らない。例えば、携帯端末５００は、物理量比較手段５４０を有さず、検出した物理量を通信手段５５０によって機器１００に送信し、機器１００において、物理量の比較を行うように構成してもよい。
【００７０】
図３は、第一の物理量と第二の物理量とを比較する処理を説明する図である。図３（Ａ）では、機器１００において検出された第一の物理量、及び、携帯端末５００において検出された第二の物理量の値が、時刻の経過に伴う波形を有している。
【００７１】
図３（Ｂ）では、物理量比較手段１４０又は５４０が、各波形の類似度を演算する。具体的には、波形のピークの半値幅、又は、エンベロープの値等を演算する。図３（Ｃ）では、物理量比較手段１４０又は５４０が、第一の物理量の波形及び第二の物理量の波形の類似度が所定の値より大きく、第一の物理量と第二の物理量とが類似性を有すると判断した場合に、通信手段１５０及び通信手段５５０が、機器１００と携帯端末５００との通信を確立する。
【００７２】
図４は、機器１００及び携帯端末５００の機能構成の例であって、図２とは異なる構成を有する例である。図４において、機器１００は、ネットワーク等を介して、又は、直接、携帯端末５００と接続され、機器１００及び携帯端末５００との接触等に起因する振動等により発生する物理量を検出することに基づき、両者の間の通信が確立される。
【００７３】
機器１００は、検出手段１１０、メモリ１２０、物理量受信手段１３０、物理量比較手段１４０、通信確立手段１５１、及び、ジョブ実行手段１６０を有する。
【００７４】
検出手段１１０は、機器１００と携帯端末５００との接触等に起因する第一の物理量を検出し、該第一の物理量が所定の値より大きい場合に、メモリ１２０に当該第一の物理量を記憶させる手段であって、振動検出手段１１１、変形検出手段１１２、及び、圧力検出手段１１３を有する。検出手段１１０は、また、振動検出手段１１１、変形検出手段１１２、及び、圧力検出手段１１３の何れか一以上を有してもよい。
【００７５】
振動検出手段１１１は、例えば、加速度センサ、又は、ジャイロセンサ（角速度センサ）等であり、単軸又は多軸の何れの構成でもよい。多軸の角速度センサ又はジャイロセンサの構成を有する場合は、各軸方向の物理量の合成ベクトルの経時変化である波形を第一の物理量とする。一の波形は、例えば、物理量の変化が所定の値を超えた時から、物理量の変化が所定の値よりも小さくなるまでの間の物理量の経時変化である。
【００７６】
変形検出手段１１２は、例えば、歪ゲージを有する回路であり、機器１００の筐体を構成する材料の表面に設けられるように構成してもよい。歪ゲージは、機器１００と携帯端末５００との接触により、機器１００の筐体を構成する材料に生じる歪を検出する。
【００７７】
図５は、歪ゲージによって検出された信号を、増幅しサンプリングした後に、メモリ１２０に蓄積する回路である。図５において、変形検出手段１１２は、歪ゲージ１、ホイトストーンブリッジ回路２、増幅アンプ３、バッファアンプ４、バンドパスフィルタ５、及び、Ａ／Ｄコンバータ６を有する。
【００７８】
歪ゲージ１は、機器１００の筐体を講師する材料の表面に設けられ、変形により電気抵抗の変化を生じる。ホイトストーンブリッジ回路２は、歪ゲージ１の抵抗の変化を電圧に変換する。増幅アンプ３が該電圧を増幅し、バッファアンプ４でインピーダンスを適切にした後、バンドパスフィルタ５においてサンプリングを行う。Ａ／Ｄコンバータ６は、サンプリングされた電圧のアナログ信号をデジタル信号に変換する。
【００７９】
圧力検出手段１１３は、例えば、感圧導電ゴム等を有する感圧センサを、機器１００と携帯端末５００との接触により荷重変化が生じる箇所に設ける。
【００８０】
メモリ１２０は、検出手段１１０が検出した第一の物理量を蓄積する記憶媒体であり、物理量受信手段１３０は、携帯端末５００より、第二の物理量を含む信号を受信し、物理量比較手段１４０に送信する。
【００８１】
物理量比較手段１４０は、メモリ１２０に蓄積された第一の物理量と、物理量受信手段１３０が受信した第二の物理量とを比較し、両者又は両者の変化の類似性の有無を判断する。
【００８２】
ところで、検出手段１１０が検出した第一の物理量の時刻と、物理量受信手段が受信した第二の物理量の検出時刻との間に差が生じる場合がある。そこで、物理量比較手段１４０は、第一の物理量と第二の物理量を比較する際に、時刻の補正を行う時刻補正手段１４１を有してもよい。第一の物理量の検出時刻と、第二の物理量の検出時刻との間に差が生じるのは、例えば、機器１００と携帯端末５００とが、直接接触するのではなく、携帯端末５００を機器１００が設置されている什器等に接触させる場合である。
【００８３】
振動検出手段１１１が、多軸の角速度センサ又はジャイロセンサの構成を有する場合は、物理量比較手段１４０は、第一の物理量及び第二の物理量の経時変化による波形の類似度を計算する。類似度の計算には、例えば、相互相関係数を用いる。振動検出手段１１１が、単軸の構成を有する角速度センサ又はジャイロセンサを有する場合には、第一の物理量は、センサが検知した波形の時間幅、又は、ピークの半値幅の値とする。
【００８４】
通信確立手段１５１は、物理量比較手段１４０が、第一の物理量と第二の物理量又は第一の物理量の変化と第二の物理量の変化とが類似性を有すると判断した場合に、携帯端末５００との通信を確立する。通信確立手段１５１は、また、アクセス制限手段１５２を有し、通信の確立時に携帯端末５００等に付与した識別情報に基づき、通信による機器１００へのアクセス制限を行ってもよい。
【００８５】
ジョブ実行手段１６０は、携帯端末５００との通信が確立された後に、携帯端末５００からの指示に従い、ジョブを実行する、又は、ジョブに必要なデータの送受信を行う手段である。なお、ジョブの指示又はジョブに必要なデータは、携帯端末５００より、通信の確立後に送信される他に、第二の物理量とあわせて受信してもよい。
【００８６】
携帯端末５００は、機器１００との接触等に起因する物理量が所定の値を超える場合に、当該物理量を機器１００に送信し、通信の確立を行うデータ通信装置であって、検出手段５１０、メモリ５２０、送信手段５３０、通信確立手段５５１、及び、ジョブ実行手段５６０を有する。
【００８７】
検出手段５１０は、検出手段１１０と略同一の構成を有し、機器１００と携帯端末５００との接触等に起因する第二の物理量を検出し、該第二の物理量が所定の値より大きい場合に、当該第二の物理量をメモリ５２０に記憶させる。メモリ５２０は、検出手段５１０が検出した第二の物理量を蓄積する記憶媒体である。送信手段５３０は、第二の物理量を含む信号を、機器１００に送信する。
【００８８】
通信確立手段５５１は、送信手段５３０が第二の物理量を含む信号を送信した機器１００が有する通信確立手段１５１より、通信の確立を要求された場合に、機器１００と携帯端末５００との通信を確立する。
【００８９】
ジョブ実行手段５６０は、機器１００との通信が確立された後に、機器１００からの指示に従い、ジョブを実行する、又は、ジョブに必要なデータの送受信を行う手段である。
【００９０】
図６から８は、本発明の一実施の形態に係るデータ通信装置の処理の流れを説明する図である。
【００９１】
図６は、検出した物理量に基づき通信を確立し、暗号化されたデータの送受信を開始する処理の流れ図である。ステップＳ１１では、検出手段１１０が、第一の物理量を検出する。例えば、振動により生じる加速度、又は、振動の角速度等を検出し、当該物理量が所定の値より大きいか否かを判断し、大きい場合には、当該物理量を第一の物理量として、ステップＳ１２へ進む。当該物理量が所定の値以下の場合には、ステップＳ１１を繰り返す。
【００９２】
ステップＳ１２では、メモリ１２０が、検出手段１１０によって検出された第一の物理量を記憶する。
【００９３】
ステップＳ１３では、物理量受信手段１３０が、機器１００の周辺に存在する無線通信機器のサーチ及びスキャニングを行う。ステップＳ１４では、機器１００の周辺に存在する無線通信機器のうちの一の機器とのプレ通信を開始し、該一の機器から第二の物理量を含む信号を受信する。
【００９４】
ステップＳ１５では、物理量比較手段１４０が、検出手段１１０が検出した第一の物理量、及び、物理量受信手段１３０が受信した第二の物理量の比較を行う。例えば、接触に起因する振動に係る物理量の場合は、加速度又は角速度の波形の類似度を比較する。波形が類似しており、第一の物理量と第二の物理量とが類似性を有すると判断された場合には、ステップＳ１６へ進み、類似性を有すると判断されなかった場合には、ステップＳ１１へ進む。なお、類似性を有すると判断されなかった場合には、プレ通信を終了した後に、ステップ１１へ進んでもよい。
【００９５】
ステップＳ１６では、物理量受信手段１３０が、プレ通信を終了する。ステップＳ１７では、通信確立手段１５１が、機器１００と、前記第二の物理量を送信した前記一の機器である携帯端末５００との通信を確立する。
【００９６】
ステップＳ１８では、ジョブ実行手段１６０が、携帯端末５００より、暗号化されたデータを受信し、また、携帯端末５００に対し、データを暗号化して送信する。
【００９７】
図７は、本発明の一実施の形態に係るデータ通信装置の図６とは異なる処理を説明する図であって、通信の確立とともに、予め送信されたジョブを実行するデータ通信装置の処理の流れである。
【００９８】
ステップＳ２０では、携帯端末５００が有する入力手段より、ジョブの実行の指示及び／又は該ジョブを実行する際に用いられるデータが入力される。ジョブを実行する際に用いられるデータは、携帯端末５００内に設けられた記憶媒体に格納されていてもよい。
【００９９】
ステップＳ２１からステップＳ２８の処理は、図６におけるステップＳ１１からステップＳ１８の処理と同一であるので、その説明は省略する。
【０１００】
ステップＳ２９では、ジョブ実行手段１６０が、ステップＳ２０において携帯端末５００に入力されたジョブの実行の指示を受信する。ジョブ実行手段１６０は、また、ステップＳ２０において携帯端末５００に入力されたデータを受信してもよい。
【０１０１】
ステップＳ３０では、ジョブ実行手段１６０が、ステップＳ２９において受信したジョブの実行の指示に従い、ジョブを実行する。
【０１０２】
ステップＳ３１では、通信確立手段１５１が、ジョブ実行手段１６０がジョブを終了した後に、携帯端末５００との通信を切断する。
【０１０３】
ステップＳ２０において携帯端末５００に入力され、ステップＳ３０においてジョブ実行手段１６０が実行するジョブは、例えば、印刷出力、ファクシミリ送信、又は、メール送信等のジョブであり、ジョブを実行する際に用いられるデータは、送信先のファクシミリ番号、送信先のメールアドレス、又は、印刷出力等を行う文書データである。
【０１０４】
図８は、本発明の一実施の形態に係るデータ通信装置の、図６及び図７とは異なる処理を説明する図であって、通信が確立された際に、当該通信によるアクセスの制限を行う処理の流れである。
【０１０５】
図８において、ステップＳ４１からステップＳ４５は、図６におけるステップＳ１１からステップＳ１５の処理と同一であるので、その説明は省略する。
【０１０６】
ステップＳ４６では、アクセス制限手段１５２が、携帯端末５００の識別番号を受信し、アクセス制限情報を設定し記憶する。アクセス制限情報は、また、予め機器１００内に格納されていてもよい。携帯端末５００の識別番号は、例えば、携帯端末５００が有するネットワークカードのＭＡＣ（Ｍｅｄｉａ  Ａｃｃｅｓｓ  Ｃｏｎｔｒｏｌ）アドレス等である。
【０１０７】
ステップＳ４７では、物理量受信手段１３０が、プレ通信を終了する。
【０１０８】
ステップＳ４８では、アクセス制限手段１５２が、格納されている携帯端末５００のアクセス制限情報を参照する。携帯端末５００がアクセス権を有する場合には、ステップＳ４９へ進み、携帯端末５００がアクセス権を有しない場合には、ステップＳ４１へ進む。携帯端末５００が、アクセス権を有しない場合には、また、ステップＳ５１へ進み、アクセス権が無いことを表示した後、ステップＳ４１へ進んでもよい。
【０１０９】
ステップＳ４９では、通信確立手段１５１が、機器１００と携帯端末５００との通信を確立し、ステップＳ５０では、ジョブ実行手段１６０が、携帯端末５００より、暗号化されたデータを受信し、また、携帯端末５００に対し、データを暗号化して送信する。
［第二の実施の形態］
図９は、本発明の一実施の形態に係るデータ通信システムを説明する図である。図９では、複写機６１０の上面に通信確立ユニット６００が設けられ、携帯端末７１０の裏面に通信確立ユニット７００が設けられている。通信確立ユニット６００又は７００は複写機６１０又は携帯端末７１０と着脱可能に接続されており、例えば、複写機６１０又は携帯端末７１０の利用者又はシステム導入者により、容易に取り付けが可能な構成であってもよい。
【０１１０】
通信確立ユニット６００と複写機６１０又は通信確立ユニット７００と携帯端末７１との間のインタフェースは、有線によるものがよく、例えばコネクタ等の電気的着脱手段を用いる構成であってもよい。
【０１１１】
通信確立ユニット６００と複写機６１０又は通信確立ユニット７００と携帯端末７１との間のインタフェースを、無線で通信するような構成の場合は、通信確立ユニットの電源は電池又は電源供給のみの有線の結線等の構成にしてもよい。
【０１１２】
インタフェースは、例えば、USB（Ｕｎｉｖｅｒｓａｌ  Ｓｅｒｉａｌ  Ｂｕｓ）、ＩＥＥＥ１３９４、又は、ＰＣＩ等であってもよく、これらのインタフェースの電源ラインにより、通信確立ユニット６００又は７００に対して電源が供給がされる構成であるとなおよい。
【０１１３】
図１０は、通信確立ユニットの表面に記された文字、色、又は、図柄等を説明する図である。図１０（ａ）は文字、図１０（ｂ）は図柄により、他の機器との通信の確立を行うために他の機器を接触させる場所を、操作者が容易に理解できるように示されている。なお、通信確立ユニットの表面又は通信の確立を行うための場所は、操作者が視覚的に認識できれば良く、例えば、複写機６１０又は携帯端末７１０のその他の部分と色分けされていても構わない。
【０１１４】
図１１から図１６は、本発明の一実施の形態に係るデータ通信装置である通信確立ユニットの構造を説明する図である。通信確立ユニットは、例えば、図９に示されたように、複写機６１０等の機器、又は、携帯端末７１０等に、着脱可能に接続される。
【０１１５】
図１１から図１６は、通信確立ユニット６００ａから６００ｆの、他の機器を接触させる面、及び、断面の図である。通信確立ユニット６００ａから６００ｆは、それぞれ、複写機６１０又は携帯端末７１０等に着脱可能に接続し複写機６１０等と他の機器との間で送受信するデータを受け渡すインタフェース６９０ａから６９０ｆ、及び、図示しない検出手段と通信手段とを有する。その他の構成については、以下に説明する。また、以下の図１１から図１６の説明において「タッチ面」とは、「他の機器を接触させる面」をいう。
【０１１６】
図１１の通信確立ユニット６００ａは、剛体６０１及び加速度センサ６０２を有する。剛体６０１は、通信確立ユニット６００ａの表面の振動等を加速度センサ６０２に伝えるものであり、例えば、金属からなる。加速度センサ６０２は、通信確立ユニット６００ａの表面に生じる振動等の物理量又は物理量の変化を検出する手段である。
【０１１７】
なお、図１０では、タッチ面への他の機器の接触による振動を効率的に検出するための剛体６０１が設けられているが、タッチ面の部材が剛体である場合には、剛体６０１を設けることなく、直接、タッチ面に加速度センサ６０２を貼り付ける構成であってもよい。
【０１１８】
図１２の通信確立ユニット６００ｂは、タッチ面の表面に感圧シート６０３が設けられており、感圧シート６０３に、他の機器が接触することにより、圧力の変化を検出する。感圧シート６０３は、例えば、抵抗感圧膜、感圧導電性ゴム、静電容量式タッチパネル等であってもよい。
【０１１９】
図１３の通信確立ユニット６００ｃは、剛体６０４及び歪みゲージ６０５を有する。剛体６０４は、タッチ面への他の機器の接触により微少な変形を生じ、例えば、金属からなる。歪みゲージ６０５は、剛体６０４に生じる微少な変形を検出する。歪みゲージ６０５は、例えば、箔状の形状を有し、剛体６０４に貼られる。なお、歪みゲージ６０５の回路は、図５と同一の構成であってもよい。
【０１２０】
図１４の通信確立ユニット６００ｄは、集音マイク６０６を有する。集音マイク６０６は、タッチ面への機器の接触によって生じる接触音による空気の振動を検出する手段である。集音マイク６０６は、例えば、圧電マイク等のダイナミックマイク、又は、コンデンサマイク等であればよく、通信確立ユニット６００ｄの内部に設けることができる、小型、軽薄のものが望ましい。
【０１２１】
図１５の通信確立ユニット６００ｅは、光センサ６０８を有し、さらに、タッチ面に光学的に透明な透明窓６０７が設けられている。タッチ面へ他の機器が接触した場合に、透明窓６０７が他の機器の筺体により外光の内部への入射を妨げられる（遮光）。通信確立ユニット６００ｅの内部に設けられた光センサ６００ｅは、その遮光を検出する。
【０１２２】
図１６の通信確立ユニット６００ｆは、温度センサ６０９を有する。温度センサ６０９は、タッチ面に機器が接触した際の温度変化を検出する手段である。温度センサ６０９は、例えば、白金箔状の薄膜温度センサ、又は、熱伝対等であり、通信確立ユニット６００ｆの表面に設けられ、他の機器との接触による温度変化を検出する。
【０１２３】
物理量検出手段は、図１１から図１６において説明された通信確立ユニットのうちの何れであってもよいが、例えば、軽量かつ小型が求められる場合には、加速度センサ又は歪ゲージを用い、軽量かつ小型である必要性が少ない場合には、光センサ又はマイクを用いても良い。
【０１２４】
図１７は、機器６１０に接続された通信確立ユニット６００と、携帯端末７１０に接続された通信確立ユニット７００とが検出した物理量と、その変化の類似性の有無の判断の方法を説明する図である。図１７は、物理量検出手段が有するセンサの出力信号であり、例えば、加速度センサ、圧力センサ、歪ゲージ、集音マイク、光センサ、又は、温度センサ等の出力信号である。通信確立ユニット６００又は７００が有する検出手段１１０等は、接触により変化する物理量を検出できる構成であればよく、さらに、お互いの接触に関係した物理量変化が起こる構成を有する。機器１００と携帯端末５００とが有するそれぞれの物理量比較手段は、同一のものであってもよい。
【０１２５】
なお、図１７は、通信確立ユニット６００と７００とが接触したことに基づき検出された物理量に代えて、機器１００と携帯端末５００とが接触したことに基づき検出された物理量の図であってもよい。
【０１２６】
図１７（Ａ）は、通信確立ユニット６００と７００とが接触した場合の、各通信確立ユニットに内蔵されたセンサの出力信号の例であり、（ａ１）が通信確立ユニット６００、（ａ２）が通信確立ユニット７００において検出された信号の例である。（ａ１）と（ａ２）との類似性の有無を判断するには、それぞれの信号のピーク信号波形の時間幅（例えば、半値幅等）、所定の値以上の出力が検出された時刻、又は、各ピーク信号波形の相互相関係数等の関数等を用いる。
【０１２７】
ここでは、通信確立ユニット６００と７００とが有するそれぞれの物理量検出手段によって検出される物理量又は物理量の変化が、完全に同一であるか否かを判断する必要はない。そこで、物理量又は物理量の変化の類似性を、同一な尺度で評価できる評価関数である物理量の変換係数を、各機器の構成に応じて校正（キャリブレーション）して実施することで、類似性の有無の判断を行う。
【０１２８】
図１７（Ｂ）は、通信確立ユニット６００と７００とが接触した場合の、各通信確立ユニットに内蔵されたセンサの出力信号の例であって、図１７（Ａ）とは異なる信号の例である。図１７（Ｂ）の（ｂ１）は通信確立ユニット６００、（ｂ２）は通信確立ユニット７００において検出された信号の例である。
【０１２９】
（ｂ１）と（ｂ２）との類似性の有無を判断するには、ピーク値に対応する時刻を比較してもよい。さらに、接触による振動の伝播の遅延を考慮し、時間方向の補正を行った上で、ピーク値に対応する時刻を比較してもよい。
【０１３０】
図１７（Ｃ）は、通信確立ユニット６００と７００とが接触した場合の、各通信確立ユニットに内蔵されたセンサの出力信号の例であって、通信確立ユニット６００と７００とを接触させる操作者が複数回の接触を発生させることにより生じた例である。図１７（Ｃ）の（ｃ１）は通信確立ユニット６００、（ｃ２）は通信確立ユニット７００において検出された信号の例である。ここでは、通信確立ユニットを4回接触させた場合の波形を示している。
【０１３１】
（ｃ１）と（ｃ２）との類似性の有無を判断するには、例えば、所定の時間内に検出されたピークの数を比較してもよい。また、類似性の有無は、ピーク値に対応する時刻を比較することに基づき判断してもよく、さらに、ピークの数の比較結果とピーク値に対応する時刻の比較結果とに基づき、判断してもよい。
【０１３２】
このように機器の接触による物理量変化のピークの回数を用いることで類似性の有無の判断を簡略化することができ、信頼性を向上することができる。
［第三の実施の形態］
図１８は、本発明の一実施の形態に係るデータ通信装置の機能構成の例であって、物理量発生手段を有する例である。図１８において、機器１００ｂは、ネットワーク等を介して、又は、直接、携帯端末５００ｂと接続されている。機器１００ｂと携帯端末５００ｂとは、接触に起因する振動等の物理量の変化により接触を検出し、機器１００ｂが所定のパターンの物理量を発生する。携帯端末５００ｂは、機器１００ｂが発生させた物理量の変化のパターンに基づき、通信の確立を要求する。
【０１３３】
図１８の機器１００ｂは、検出手段１１０、メモリ１２０、通信手段１５０ｂ、及び、物理量発生手段１７０を有する。検出手段１１０、及び、メモリ１２０は、図２において同一の符号を付した手段と同一の機能及び構成を有するので、ここでは説明を省略する。
【０１３４】
物理量発生手段１７０は、検出手段１１０によって物理量の変化が検出された場合、すなわち、他の機器との接触が検出された場合に、所定のパターンの物理量を発生する手段である。
【０１３５】
物理量発生手段１７０は、例えば、振動源として、小型回転モータの回転軸に半月形の錘を設けている振動ユニット、圧電アクチュエータ、静電アクチュエータ、又は、導電性高分子アクチュエータとして構成してもよい。物理量発生手段１７０は、また、例えば、熱源として、軽薄で柔軟性のある箔上のヒータであるシートヒータ（面上発熱体）、又は、板状のヒータとして構成してもよい。物理量発生手段１７０は、また、例えば、音源として、ダイナミック型、マグネティック型、コンデンサ型（静電型）、又は、圧電素子（圧電スピーカー）等の方式のスピーカと同様のものとして構成してもよい。物理量発生手段１７０は、また、例えば、光源として、LED（Light Emitting Diode）、EL(Electroluminescence)、又は、冷陰極管等の発光素子として構成してもよい。
【０１３６】
通信手段１５０は、物理量発生手段１７０が発生した物理量の変化のパターンが、携帯端末５００ｂにおいて検出されることに基づき、携帯端末５００ｂから通信の確立を要求された場合に、その要求に応じて通信を確立し、通信を行う手段である。
【０１３７】
携帯端末５００ｂは、検出手段５１０ｂ、メモリ５２０、物理量比較手段５４０ｂ、及び、通信手段５５０ｂを有する。携帯端末５００ｂは、また、パターン保持手段５７０を有してもよい。
【０１３８】
検出手段５１０ｂは、機器１００ｂが有する物理量発生手段１７０が発生した物理量の変化を検出する手段である。検出手段５１０ｂは、また、機器１００ｂが接触することによる物理量の変化を検出してもよく、接触による物理量の変化に続く、物理量発生手段１７０による物理量の変化を検出してもよい。
【０１３９】
物理量比較手段５４０ｂは、検出手段５１０ｂが検出した物理量の変化のパターンが所定のパターンを有するか否かを判断する手段である。所定のパターンは、例えば、パターン保持手段５７０が有するパターンであってもよい。
【０１４０】
物理量比較手段５４０は、また、検出手段５１０ｂが、機器１００ｂとの接触による物理量の変化を検出した場合に、通信手段５５０ｂによって受信された機器１００ｂが検出した物理量の変化を含む信号に基づき、機器１００ｂによって検出された物理量の変化と、検出手段５１０によって検出された物理量の変化とを比較してもよい。これにより、物理量の変化の類似性の有無を判断することができ、類似性を有する場合に、さらに、機器１００ｂが発生させた物理量の変化のパターンに係る処理を行うように構成することができる。
【０１４１】
パターン保持手段５７０は、所定の変化のパターンを保持する手段である。パターン保持手段５７０によって保持される変化のパターンと、検出手段５１０ｂによって検出された変化のパターンとの類似性の有無を判断することにより、例えば、機器１００ｂを識別することができる。
【０１４２】
なお、図１８の構成は、機器１００ｂが物理量発生手段１７０を有し、物理量発生手段１７０によって発生された物理量の変化を、携帯端末５００ｂが、検出手段５１０ｂによって検出する構成となっているが、本発明の実施の形態は、図１８の例に限らない。携帯端末５００ｂが、物理量発生手段を有し、機器１００ｂが、物理量の変化を検出する構成であってもよい。さらに、機器１００ｂ及び携帯端末５００ｂの双方が物理量発生手段を有し、お互いに、他の機器が発生させた物理量の変化を検出することに基づき、通信を確立する構成であってもよい。これにより、データ通信装置の識別の精度を高くすることができる。
【０１４３】
図１９は、物理量発生手段１７０によって発生等される物理量の変化のパターンを説明する図である。図１９（Ａ）は、物理量発生手段１７０によって発生される物理量の変化のパターンの例であって、変化のパターンに、機器１００ｂの識別情報が重畳されている例である。図１９（Ａ）では、物理量発生手段１７０によって発生させる物理量の変化によって、可変長のビット配列を生成し、さらに、値が１のスタートビット及びストップビットとの間に、機器１００ｂの識別情報が重畳されたビットデータが配列されている。
【０１４４】
図１９（Ｂ）は、図１９（Ａ）の物理量の変化のパターンが、検出手段５１０ｂによって検出された信号の例である。図１９（Ｂ）のように検出されることにより、スタートビットとストップビットとの間に配列された、機器１００ｂの識別情報を取得することができる。
【０１４５】
なお、本発明の実施の形態では、図１９の例に、さらに、パリティビットを付加してもよい。
【０１４６】
図２０は、本発明の一実施の形態を説明する図であって、外部に設けられた物理量発生手段７０により発生された物理量の変化のパターンを検出することに基づき、通信を確立するデータ通信装置の機能構成の例である。
【０１４７】
図２０における機器１００ｃと携帯端末５００ｃとの構成は、それぞれ、図２における機器１００と携帯端末５００とが有する構成と同一であるが、検出手段１１０及び検出手段５１０が検出する物理量が、機器１００ｃと携帯端末５００ｃとの接触による物理量の変化ではなく、物理量発生手段７０によって発生された物理量であることが異なっている。これにより、接触の強度や回数に寄らない安定した物理量の変化を発生することができる。
【０１４８】
なお、図２０において、検出手段１１０と検出手段５１０とが、機器１００ｃと携帯端末５００ｃとの接触による物理量の変化の検出に加えて、物理量発生手段７０によって発生された物理量を検出する構成であってもよい。
【０１４９】
さらに、物理量発生手段７０によって発生される物理量の波形を含む認証情報を、データベース化して管理する手段を、機器１００ｃと携帯端末５００ｃとが有することにより、
物理量発生手段７０により発生させる物理量の波形を認証のキーとして用いることができる。この構成では、データベースに登録されている波形データが検出された場合に、通信を確立することで、物理量発生手段７０が発生する物理量の変化を認証のキー（鍵）として利用することが可能になり、よりセキュアな通信環境が構築できる。
【０１５０】
なお、物理量発生手段７０によって発生される物理量の波形を含む認証情報を、データベース化して管理する手段は、機器１００ｃ及び携帯端末５００ｃに設けられていなくてもよい。例えば、認証情報のデータベースが、管理サーバ等によって管理され、機器１００ｃと携帯端末５００ｃとが、管理サーバと通信を行うことにより、認証情報を取得する構成であってもよい。
【０１５１】
図２１は、本発明の一実施の形態に係るデータ通信装置の機能構成の例であって、機器１００ｄと携帯端末５００ｄとが、撮像手段を有する場合の例である。図２１では、所定の認証キーの画像を撮像することに基づき、機器１００ｄと携帯端末５００ｄとが通信を確立する。
【０１５２】
図２１の機器１００ｄは、検出手段１１０、メモリ１２０、物理量比較手段１４０ｄ、通信手段１５０ｄ、及び、撮像手段１８０を有する。検出手段１１０及びメモリ１２０の機能及び構成は、図２の機器１００と同一であるので、ここでは説明を省略する。
【０１５３】
撮像手段１８０は、検出手段１００及び物理量比較手段１４０ｄによって他の機器との接触が生じたと判断された場合であって、さらに、図示しない入力手段等から、操作者によって認証キー８０を撮像する操作の指示が入力された場合に、認証キー８０を撮像する手段である。
【０１５４】
物理量比較手段１４０ｄは、検出手段１１０によって検出された物理量の変化と、他の機器によって検出され通信手段１５０ｄによって受信された物理量の変化とを比較する他に、撮像手段１８０によって撮像された認証キー８０の画像データが所定のデータか否かを判断する手段である。これにより、他の機器との認証を行うことができる。
【０１５５】
携帯端末５００ｄは、検出手段５１０、メモリ５２０、物理量比較手段５４０ｄ、通信手段５５０ｄ、及び、撮像手段５８０を有する。携帯端末５００ｄが有する各手段は、機器１００ｄが有する各手段のそれぞれ同名のものと、同一の機能及び構成を有するのでここでは説明を省略する。
【０１５６】
図２２は、本発明の一実施の形態に係るデータ通信装置の機能構成の例であって、アクセス権管理サーバとのデータの送受信により、アクセスの制御を行うデータ通信システムに設けられたデータ通信装置の例である。図２２の機器１００ｅは、検出手段１１０、メモリ１２０、物理量比較手段１４０、通信手段１５０ｅ、及び、アクセス制御手段１９０を有する。
【０１５７】
検出手段１１０、メモリ１２０、物理量比較手段１４０、及び、通信手段１５０ｅは、図２の機器１００が有するそれぞれ同一の符号を付した手段と、同一の機能及び構成を有するので、ここでは説明を省略する。
【０１５８】
アクセス制御手段１９０は、物理量比較手段１４０等によって、他の機器が接触したことを判断された場合に、通信手段１５０ｅによって取得するアクセス権管理サーバからのアクセス権情報に基づき、通信の確立及び／又はアクセスの制御を行う手段である。
【０１５９】
携帯端末５００ｅは、検出手段５１０、メモリ５２０、物理量比較手段５４０、通信手段５５０、及び、アクセス制御手段５９０を有する。携帯端末５００ｅが有する各手段は、機器１００ｅが有する各手段のそれぞれ同名のものと、同一の機能及び構成を有するのでここでは説明を省略する。
【０１６０】
図２３は、本発明の一実施の形態に係るデータ通信装置の機能構成の例である。図２３では、機器１００ｆと携帯端末５００ｆとが、互いに接触すること等に基づき、通信を確立する。
【０１６１】
図２３の機器１００ｆは、例えば、通信手段１５０、通信確立手段１５１、接触検出手段１１１、及び、物理量発生手段１７０を有する。機器１００ｆは、さらに、撮像手段１８０、ジョブ実行手段１６０、ジョブデータ送受信手段１６１、及び、認証手段１９１のうちの何れか１以上の手段を有してもよい。
【０１６２】
接触検出手段１１１は、他の機器が接触したことを検出する手段であって、例えば、図１１から図１６で説明した通信確立ユニットが有する物理量検出手段と同一の機能及び構成を有する。
【０１６３】
物理量発生手段１７０は、接触検出手段１１１によって他の機器の接触が検出された場合に、機器１００ｆの物理量を所定のパターンで変化させる手段である。物理量発生手段１７０が発生させるパターンは、例えば、機器１００ｆの識別情報が変調波として重畳されていてもよい。
【０１６４】
通信手段１５０は、ネットワーク等を介して又は直接、携帯端末５００ｆ等の他の機器又はサーバとの通信を行う手段である。通信手段１５０は、無線通信を確立する際のプレ通信を行う機能を有してもよい。通信手段１５０は、また、接続する他の機器のアクセスを制御するためのアクセス権情報を保持するアクセス権管理サーバ９０との通信を行い、アクセス権に係る情報を取得してもよい。
【０１６５】
通信確立手段１５１は、携帯端末５００ｆ等の他の機器との通信を確立する手段である。通信確立手段１５１は、例えば、認証手段１９１によって認証された他の機器との通信を確立する。通信確立手段１５１は、また、物理量発生手段１７０によって発生された物理量の変化のパターンを検出することに基づき、携帯端末５００ｆからの通信の確立の要求に応じてもよい。
【０１６６】
撮像手段１８０は、認証を行うための認証キー８０等の画像を撮像する手段である。撮像手段１８０は、例えば、接触検出手段１１１によって他の機器との接触が検出された場合に、操作者によって図示しない入力手段等から撮像の指示があったときに、撮像を行っても良い。
【０１６７】
認証手段１９１は、通信を確立しようとする他の機器の認証を行う手段であって、例えば、撮像手段１８０によって撮像された画像データ、又は、通信手段１５０によって取得された認証情報等に基づき、認証を行う。
【０１６８】
ジョブ実行手段１６０は、機器１００ｆのジョブを実行する手段であり、ジョブデータ送受信手段１６１は、ジョブを実行する際のデータ又はジョブの指示等を送受信する手段である。
【０１６９】
携帯端末５００ｆは、通信手段５５０、通信確立手段５５１、接触検出手段５１１，物理量検出手段５１２、及び、物理量比較手段５４０を有する。携帯端末５００ｆは、さらに、撮像手段５８０、ジョブ実行手段５６０、ジョブデータ送受信手段５６１、及び、認証手段５９１のうちの何れか１以上の手段を有してもよい。
【０１７０】
接触検出手段５１１、撮像手段５８０、ジョブ実行手段５６０、及び、ジョブデータ送受信手段５６１は、機器１００ｆが有する同名の手段と同一の機能及び構成であるので、ここでは説明を省略する。なお、接触検出手段５１１に代えて、物理量検出手段５１２及び物理量比較手段５４０によって同一の機能を実現してもよい。
【０１７１】
物理量検出手段５１２は、機器１００ｆが有する物理量発生手段１７０、又は、外部の物理量発生手段７０が発生させる物理量の変化を検出する手段である。物理量検出手段５１２は、物理量の変化のパターンを検出する。
【０１７２】
物理量比較手段５４０は、物理量検出手段５１２が検出した物理量の変化のパターンが、所定のパターンと同一性を有するか否かを判断する手段である。物理量比較手段５４０は、図示しないパターン保持手段等から所定のパターンを取得し、物理量検出手段５１２が検出した物理量の変化のパターンと比較しても良い。物理量比較手段５４０は、また、通信手段５５０を介して、サーバ等から所定のパターンを取得してもよい。
【０１７３】
認証手段５９１は、撮像手段５８０によって撮像された画像データ、通信手段５５０によってサーバ等から取得された情報、又は、物理量検出手段５１２によって取得された物理量の変化のパターンに変調波として重畳された識別情報等に基づき、接触した他の機器の認証を行う手段である。
【０１７４】
通信手段５５０は、ネットワークを介して又は直接、他の機器との通信を行う手段であって、無線通信を確立する際のプレ通信を行う機能を有してもよい。通信手段５５０は、また、接続する他の機器のアクセスを制御するためのアクセス権情報を保持するアクセス権管理サーバ９０との通信を行い、アクセス権に係る情報を取得してもよい。
【０１７５】
通信確立手段５５１は、機器１００ｆ等の他の機器との通信を確立する手段である。通信確立手段５５１は、例えば、認証手段５９１によって認証された他の機器との通信を確立する。通信確立手段５５１は、また、機器１００ｆが有する物理量発生手段１７０が発生した物理量の変化のパターンを取得することに基づき、機器１００ｆとの通信を確立してもよい。
【０１７６】
アクセス権管理サーバ９０は、機器１００ｆ及び携帯端末５００ｆを含む複数の機器のアクセス権に係る情報を保持するサーバである。物理量発生手段７０は図２０に、認証キー８０は図２１に、同一の符号を付したものと同一の機能及び構成であるので、ここでは説明を省略する。
【０１７７】
以上、発明を実施するための最良の形態について説明を行ったが、本発明は、この最良の形態で述べた実施の形態に限定されるものではない。本発明の主旨をそこなわない範囲で変更することが可能である。
【図面の簡単な説明】
【０１７８】
【図１】本発明の一実施の形態であるデータ通信装置が接続されたネットワークの構成図。
【図２】機器１００及び携帯端末５００の機能構成例。
【図３】第一の物理量と第二の物理量とを比較する処理。
【図４】機器１００及び携帯端末５００の機能構成の別の例。
【図５】変形検出手段の構成例。
【図６】検出した物理量に基づき通信を確立し、暗号化されたデータの送受信を開始する処理。
【図７】通信の確立とともに、予め送信されたジョブを実行する処理。
【図８】通信が確立された際に、当該通信によるアクセスの制限を行う処理。
【図９】本発明の一実施の形態に係るデータ通信システムの図。
【図１０】通信確立ユニットの表面に記された文字、色、又は、図柄等。
【図１１】加速度センサを有する通信確立ユニットの図。
【図１２】感圧シートを有する通信確立ユニットの図。
【図１３】歪みゲージを有する通信確立ユニットの図。
【図１４】集音マイクを有する通信確立ユニットの図。
【図１５】光センサを有する通信確立ユニットの図。
【図１６】温度センサを有する通信確立ユニットの図。
【図１７】検出された物理量とその変化の類似性の有無の判断方法。
【図１８】物理量発生手段を有する本発明の一実施の形態に係るデータ通信装置の機能構成例。
【図１９】物理量発生手段によって発生等される物理量の変化のパターン。
【図２０】外部に物理量発生手段を設けた本発明の一実施の形態に係るデータ通信システムの機能構成例。
【図２１】撮像手段を有する本発明の一実施の形態に係るデータ通信装置の機能構成の例。
【図２２】アクセス権管理サーバを有する本発明の一実施の形態に係るデータ通信システムの機能構成の例。
【図２３】接触の検出に基づき通信の確立を行う本発明の一実施の形態に係るデータ通信装置の機能構成例。
【符号の説明】
【０１７９】
１００から４００    データ通信装置
５００    携帯端末
６００    ネットワーク
１１０    検出手段
１１１    振動検出手段
１１２    変形検出手段
１１３    圧力検出手段
１２０    メモリ
１３０    物理量受信手段
１４０    物理量比較手段
１４１    時刻補正手段
１５０    通信手段
１５１    通信確立手段
１５２    アクセス制限手段
１６０    ジョブ実行手段
５１０    検出手段
５２０    メモリ
５３０    送信手段
５４０    物理量比較手段
５５０    通信手段
５５１    通信確立手段
５６０    ジョブ実行手段
【図１】
2007228554.tif 000003
【図２】
2007228554.tif 000004
【図３】
2007228554.tif 000005
【図４】
2007228554.tif 000006
【図５】
2007228554.tif 000007
【図６】
2007228554.tif 000008
【図７】
2007228554.tif 000009
【図８】
2007228554.tif 000010
【図９】
2007228554.tif 000011
【図１０】
2007228554.tif 000012
【図１１】
2007228554.tif 000013
【図１２】
2007228554.tif 000014
【図１３】
2007228554.tif 000015
【図１４】
2007228554.tif 000016
【図１５】
2007228554.tif 000017
【図１６】
2007228554.tif 000018
【図１７】
2007228554.tif 000019
【図１８】
2007228554.tif 000020
【図１９】
2007228554.tif 000021
【図２０】
2007228554.tif 000022
【図２１】
2007228554.tif 000023
【図２２】
2007228554.tif 000024
【図２３】
2007228554.tif 000025